(57)【要約】  流体を鼻腔に輸送するための装置および方法であって、流体を収容する容器（１００）に接続されるように構成された輸送チューブ（２０）およびキャップ（４０）を含む。輸送チューブ（２０）は、外側カニューレ（２１）内に配置された内側カニューレ（３１）を含む。カニューレ（３１、２１）の各々は、第１の側方セクションに沿って整列した１つまたは複数の開口部（２５）を有する第１の出口と、第２の側方セクションに沿って整列した１つまたは複数の開口部（２５）を有する第２の出口と、を含む。キャップ（４０）は、輸送チューブ（２０）を容器（１００）に固定するように構成される。輸送チューブ（２０）およびキャップ（４０）は、カニューレ（３１、２１）間の相対的な軸方向の移動を提供するように構成される。カニューレ（３１、２１）は、流体を鼻腔の第１の部分に輸送するために輸送チューブ（２０）の第１の側方セクションに沿って第１の出口を整列させる第１の軸方向位置と、流体を鼻腔の第２の部分に輸送するために第２の側方セクションに沿って第２の出口を整列させる第２の軸方向位置と、の間で位置決め可能に構成される。
2020534066.tif 000002
【特許請求の範囲】
【請求項１】
容器（１００）から鼻腔に流体を輸送する装置（１０）であって、
近位端（３３）にある入口と遠位端（３４）に向かって配置された第１および第２の出口（３８）とを含む中空の内側カニューレ（３１）であって、前記第１および第２の出口（３８）が異なる側方セクションにあり、前記入口と前記第１および第２の出口（３８）とは流体流れの関係にある、前記内側カニューレ（３１）と、
前記内側カニューレ（３１）の上に延びて該内側カニューレ（３１）収容する中空の外側カニューレ（２１）であって、該外側カニューレ（２１）は、遠位端（２４）に向かって配置された第３および第４の出口（２８）を含み、該第３および第４の出口（２８）は前記外側カニューレ（２１）の異なる側方セクションにある、前記外側カニューレ（２１）と、
前記内側および外側カニューレ（３１、２１）のそれぞれに接続され、第１の軸方向位置と第２の軸方向位置との間で、前記内側および外側カニューレ（３１、２１）の長手方向軸に沿って該内側および外側カニューレ（３１、２１）の相対的な軸方向移動を提供するように構成されたキャップ（４０）と、
を含み、
前記第１の軸方向位置では、前記第１の出口と前記第３の出口とは整列しており、前記第２の出口と前記第４の出口とは整列しておらず、それにより、前記流体が相対的に、前記第２の出口を介した前記第４の出口からよりも前記第１の出口を介した前記第３の出口から優勢に排出されることを可能にし、
前記第２の軸方向位置では、前記第１の出口と前記第３の出口とは整列しておらず、前記第２の出口と前記第４の出口とは整列しており、それにより、前記流体が相対的に、前記第１の出口を介した前記第３の出口からよりも前記第２の出口を介した前記第４の出口から優勢に排出されることを可能にする
装置。
【請求項２】
前記キャップ（４０）は、
前記内側カニューレ（３１）の前記近位端（３３）に取り付けられる第１のセクションと、
前記第１のセクションに対して相対的に回転可能であり、前記外側カニューレ（２１）と係合する第１および第２のランプ（６３、６４）を含む第２のセクションと、
をさらに含み、
前記第１および第２のセクションは、前記外側カニューレ（２１）を前記第１のランプ（６３）に沿ってスライドさせ、前記外側カニューレ（２１）を前記内側カニューレ（３１）に対して軸方向の第１の方向に相対的に移動させるために、時計回り方向に互いに相対的に回転可能であり、
前記第１および第２のセクションは、前記外側カニューレ（２１）を前記内側カニューレ（３１）に対して反対の軸方向の第２の方向に相対的にスライドさせるために、反時計回り方向に互いに相対的に回転可能である
請求項１に記載の装置。
【請求項３】
前記内側カニューレ（３１）は、前記外側カニューレ（２１）の移動中に該内側カニューレ（３１）が移動するのを防止するために、前記キャップ（４０）の前記第１のセクションに固定的に取り付けられている
請求項２に記載の装置。
【請求項４】
前記外側カニューレ（２１）から放射方向外側に延び前記第２セクションの前記第１および第２ランプ（６３、６４）と係合するフィンをさらに含む
請求項２に記載の装置。
【請求項５】
前記第１、第２、第３および第４の出口（２８、３８）の各々は、複数の開口部（２５）を含む
請求項１に記載の装置。
【請求項６】
前記第１および第３の出口は共通の数の開口部（２５）を含み、前記第２および第４の出口は共通の数の開口部（２５）を含む
請求項５に記載の装置。
【請求項７】
前記内側および外側カニューレ（３１、２１）の各々の遠位端（２４、３４）にある開口部をさらに含む
請求項１に記載の装置。
【請求項８】
容器（１００）から鼻腔に流体を輸送する装置（１０）であって、
内側カニューレ（３１）が外側カニューレ（２１）の中空内部に配置された前記内側および外側カニューレ（３１、２１）を含む輸送チューブ（２０）であって、カニューレ（３１、２１）の各々は、
近位端（２３、３３）および対向する遠位端（２４、３４）を有する細長い形状部と、
前記遠位端に向かい第１の側方セクションに配置された第１の出口と、
前記遠位端に向かい第２の側方セクションに配置された第２の出口と、
を含む、前記輸送チューブ（２０）と、
前記内側および外側カニューレ（３１、２１）のそれぞれに接続され、第１の軸方向位置と第２の軸方向位置との間で、前記内側および外側カニューレ（３１、２１）を互いに相対的に軸方向に配置するように構成されたキャップ（４０）と、
を含み、
前記第１の軸方向位置は、前記流体を第１の側方に輸送するために、前記輸送チューブ（２０）の前記第１の側方セクションで整列された前記第１の出口と前記輸送チューブ（２０）の前記第２の側方セクションで整列されていない前記第２の出口とを含み、
前記第２の軸方向位置は、前記流体を第２の側方に輸送するために、前記輸送チューブ（２０）の前記第２の側方セクションで整列された前記第２の出口と前記輸送チューブ（２０）の前記第１の側方セクションで整列されていない前記第１の出口とを含む
装置。
【請求項９】
前記内側および外側カニューレ（３１、２１）のそれぞれの前記近位端（２３、３３）は、前記キャップ（４０）に接続されている
請求項８に記載の装置。
【請求項１０】
前記内側カニューレ（３１）と外側カニューレ（２１）との一方は、前記キャップ（４０）のねじ山部分にねじ込まれている
請求項８に記載の装置。
【請求項１１】
前記第１の軸方向位置では、前記流体の優勢な量が前記輸送チューブ（２０）から前記第１の側方に排出され、前記流体の少量が前記輸送チューブ（２０）から前記第２の側方に排出されるように、前記第２の出口は前記第１の出口よりも重なりが少ない
請求項８に記載の装置。
【請求項１２】
前記内側および外側カニューレ（３１、２１）の各々の前記第１の出口と前記第２の出口とは、前記内側および外側カニューレ（３１、２１）の周囲に９０°以下の角度で間隔をあけて配置されている
請求項８に記載の装置。
【請求項１３】
前記キャップ（４０）は、それぞれが開口部を含む複数の部材を含み、該複数の部材は回転可能に連結され前記開口部が同軸上に配置されている
請求項８に記載の装置。
【請求項１４】
前記内側カニューレ（３１）は前記キャップ（４０）に固定的に接続され、前記外側カニューレ（２１）は前記キャップ（４０）に対して相対的に移動可能であり、前記内側カニューレ（３１）は前記外側カニューレ（２１）の移動中に静止している
請求項８に記載の装置。
【請求項１５】
容器（１００）から鼻腔に流体を輸送する方法であって、
内側カニューレ（３１）と外側カニューレ（２１）とを含む輸送チューブ（２０）が第１および第２のキャップ部材に接続された状態で、前記第１のキャップ部材を前記第２のキャップ部材に対して第１の回転方向に回転することと、
前記外側カニューレ（２１）を前記内側カニューレ（３１）に対して第１の軸方向に相対的に移動することと、
前記内側および外側カニューレ（３１、２１）の第１の側方セクション上の第１セットの出口を整列し、前記内側および外側カニューレ（３１、２１）の第２の側方セクション上の第２セットの出口を整列しないことであって、前記出口（２８、３８）は前記内側および外側カニューレ（３１、２１）の遠位端（２４、３４）に向かって配置され、
前記容器（１００）からの前記流体を、前記第１および第２のキャップ部材の前記内側カニューレ（３１）の近位端（３３）に前記内側カニューレ（３１）に沿って移動し、前記第１の側方セクション上の前記整列された前記第１セットの出口を通して前記流体を排出することと、
前記第１のキャップ部材を前記第２のキャップ部材に対して第２の回転方向に回転することと、
前記外側カニューレ（２１）を前記内側カニューレ（３１）に対して第２の軸方向に相対的に移動することと、
前記内側および外側カニューレ（３１、２１）の前記第２の側方セクション上の前記第２セットの出口を整列し、前記内側および外側カニューレ（３１、２１）の前記第１の側方セクション上の前記第１セットの出口を整列しないことと、
前記流体を、前記第１および第２のキャップ部材の前記内側カニューレ（３１）の前記近位端（３３）に前記内側カニューレ（３１）に沿って移動し、前記第２の側方セクション上の前記整列された前記第２セットの出口を通して前記流体を排出することと、
を含む方法。
【請求項１６】
前記内側カニューレ（３１）が前記第１および第２のキャップ部材に対して移動するのを防止し、前記外側カニューレ（２１）を前記内側カニューレ（３１）に沿って軸方向に移動すること、をさらに含む
請求項１５に記載の方法。
【請求項１７】
前記外側カニューレ（２１）を前記内側カニューレ（３１）に対して前記第１および第２の軸方向に移動し、同時に、前記外側カニューレ（２１）を前記内側カニューレ（３１）に対して回転させること、をさらに含む
請求項１５に記載の方法。
【請求項１８】
前記第１の側方セクション上の前記整列された前記第１セットの出口を通して前記流体を排出するとき、前記輸送チューブ（２０）の前記第２の側方セクション上の前記整列されていない前記第２セットの出口を通して少量の前記流体を排出することをさらに含む
請求項１５に記載の方法。
【請求項１９】
前記外側カニューレ（２１）の本体を前記内側カニューレ（３１）の前記第２の側方セクション上の出口の上に移動し、前記流体が前記整列された第１の第２の出口を通して前記第１の側方セクションで排出されているとき前記流体が前記第２の側方セクションで排出されるのを防止すること、をさらに含む
請求項１５に記載の方法。
【発明の詳細な説明】
【技術分野】
【０００１】
関連出願
本出願は、２０１７年９月１５日に出願された米国出願第１５／７０５７７３号の継続出願であり、その開示はその全体が参照により本明細書に組み込まれる。
【０００２】
本開示は、鼻腔に流体を輸送するための装置および方法に関し、より詳細には、鼻腔の特定の領域を標的とするために輸送装置の特定の側部から流体を排出することに関する。
【背景技術】
【０００３】
鼻腔は、様々な生物学的機能を果たす解剖学的構造に対応する様々な表面で構成されている。一般的に、鼻腔は中隔と呼ばれる軟骨の壁によって垂直に分割されている。中隔の両側には鼻孔があり、これを通って鼻腔に入ることができる。中隔の反対側、鼻腔の両側には、一連のタービネート（コンチャとも呼ばれる）がある。各一連は、鼻孔から鼻腔を通って喉に向かって後方に行くにつれて、下、中、上の各タービネートで構成されている。これらの鼻孔は、鼻腔内に突出する一連の骨の隆起である。上顎洞、前頭葉洞、前頭葉洞は、下側タービネートの上にある中タービネートの下から鼻腔内に排出される。
【０００４】
鼻内のこれらの解剖学的構造を治療するために、治療用流体をそれらの対応する表面に局所的に適用することができる。このような流体は、例えば、生理食塩水、抗ヒスタミン剤、脱炭酸剤、およびコルチコステロイドを含み、これらは、それぞれ、鼻腔の灌漑、アレルギーの治療、鼻づまりの緩和、および炎症の治療に有用である。これらの流体を鼻腔内の様々な表面に輸送するために、スプレーボトルがしばしば使用される。スプレーボトルを使用するために、患者は、典型的には、鼻孔からノズルを挿入して、行き当たりばったりで無差別にノズルから流体を噴出させる。このような方法で行き当たりばったりで無差別に流体を吐出すると、少なくとも一部の流体が鼻腔内の適切な表面に塗布される傾向があるが、このようなアプローチは、非効率的である。実際、この方法によって輸送される流体の大部分は、流体がほとんど治療的価値をもたらさない表面に塗布されることによって、しばしば無駄になる。
【発明の概要】
【０００５】
本願は、鼻腔に流体を輸送する装置に向けられている。装置は、流体を優勢におよび／または全体的に１つの側方セクションから輸送するように構成され得る。装置は、鼻腔の異なるセクションに流体を輸送するために必要に応じて、所望の側方セクションに流体を輸送するように調節可能であってもよい。装置は、流体を収容する容器に取り付けられるようにさらに構成される。
【０００６】
一実施形態は、容器から鼻腔に流体を輸送する装置に向けられている。装置は、近位端にある入口と遠位端に向かって配置された第１および第２の出口とを含む中空の内側カニューレを含み、前記第１および第２の出口が異なる側方セクションにある。前記入口と前記第１および第２の出口とは流体流れの関係にある。中空の外側カニューレは、前記内側カニューレの上に延びて該内側カニューレ収容する。該外側カニューレは、遠位端に向かって配置された第３および第４の出口を含み、該第３および第４の出口は前記外側カニューレの異なる側方セクションにある。キャップは、前記内側および外側カニューレのそれぞれに接続され、第１の軸方向位置と第２の軸方向位置との間で、前記内側および外側カニューレの長手方向軸に沿って該内側および外側カニューレの相対的な軸方向移動を提供するように構成される。前記第１の軸方向位置では、前記第１の出口と前記第３の出口とは整列しており、前記第２の出口と前記第４の出口とは整列しておらず、それにより、前記流体が相対的に、前記第２の出口を介した前記第４の出口からよりも前記第１の出口を介した前記第３の出口から優勢に排出されることを可能にする。前記第２の軸方向位置では、前記第１の出口と前記第３の出口とは整列しておらず、前記第２の出口と前記第４の出口とは整列しており、それにより、前記流体が相対的に、前記第１の出口を介した前記第３の出口からよりも前記第２の出口を介した前記第４の出口から優勢に排出されることを可能にする。
【０００７】
装置はまた、前記内側カニューレの前記近位端に取り付けられる第１のセクションと、前記第１のセクションに対して相対的に回転可能であり、前記外側カニューレと係合する第１および第２のランプを含む第２のセクションと、をさらに含む。前記第１および第２のセクションは、前記外側カニューレを前記第１のランプに沿ってスライドさせ、前記外側カニューレを前記内側カニューレに対して軸方向の第１の方向に相対的に移動させるために、時計回り方向に互いに相対的に回転可能である。前記第１および第２のセクションは、前記外側カニューレを前記内側カニューレに対して反対の軸方向の第２の方向に相対的にスライドさせるために、反時計回り方向に互いに相対的に回転可能である。
【０００８】
前記内側カニューレは、前記外側カニューレの移動中に該内側カニューレが移動するのを防止するために、前記キャップの前記第１のセクションに固定的に取り付けられている。
【０００９】
前記装置は、前記外側カニューレから放射方向外側に延び前記第２セクションの前記第１および第２ランプと係合するフィンをさらに含み得る。
【００１０】
前記装置は、前記第１、第２、第３および第４の出口の各々が複数の開口部を含むことを含み得る。
【００１１】
前記第１および第３の出口は共通の数の開口部を含み、前記第２および第４の出口は共通の数の開口部を含む。
【００１２】
前記装置は、前記内側および外側カニューレの各々の遠位端にある開口部をさらに含み得る。
【００１３】
別の実施形態は、容器から鼻腔に流体を輸送する装置に向けられている。該装置は、内側カニューレが外側カニューレの中空内部に配置された前記内側および外側カニューレを含む輸送チューブを含む。カニューレの各々は、近位端および対向する遠位端を有する細長い形状部と、前記遠位端に向かい第１の側方セクションに配置された第１の出口と、前記遠位端に向かい第２の側方セクションに配置された第２の出口と、を含む。キャップは、前記内側および外側カニューレのそれぞれに接続され、第１の軸方向位置と第２の軸方向位置との間で、前記内側および外側カニューレを互いに相対的に軸方向に配置するように構成される。前記第１の軸方向位置は、前記流体を第１の側方に輸送するために、前記輸送チューブの前記第１の側方セクションで整列された前記第１の出口と前記輸送チューブの前記第２の側方セクションで整列されていない前記第２の出口とを含む。前記第２の軸方向位置は、前記流体を第２の側方に輸送するために、前記輸送チューブの前記第２の側方セクションで整列された前記第２の出口と前記輸送チューブの前記第１の側方セクションで整列されていない前記第１の出口とを含む。
【００１４】
前記装置は、前記内側および外側カニューレのそれぞれの前記近位端が前記キャップに接続され得ることを含み得る。
【００１５】
前記装置は、前記内側カニューレと外側カニューレとの一方が前記キャップのねじ山部分にねじ込まれていることを含み得る。
【００１６】
前記装置は、前記第１の軸方向位置では、前記流体の優勢な量が前記輸送チューブから前記第１の側方に排出され、前記流体の少量が前記輸送チューブから前記第２の側方に排出されるように、前記第２の出口は前記第１の出口よりも重なりが少ないことを含み得る。
【００１７】
前記装置は、前記内側および外側カニューレの各々の前記第１の出口と前記第２の出口とが、前記内側および外側カニューレの周囲に９０°以下の角度で間隔をあけて配置されていることを含み得る。
【００１８】
前記キャップは、それぞれが開口部を含む複数の部材を含み得、該複数の部材は回転可能に連結され前記開口部が同軸上に配置されている。
【００１９】
前記装置は、前記内側カニューレが前記キャップに固定的に接続され得、前記外側カニューレが前記キャップに対して相対的に移動可能であり得、前記内側カニューレが前記外側カニューレの移動中に静止していることを含み得る。
【００２０】
別の実施形態は、容器から鼻腔に流体を輸送する方法に向けられている。方法は、内側カニューレと外側カニューレとを含む輸送チューブが第１および第２のキャップ部材に接続された状態で、前記第１のキャップ部材を前記第２のキャップ部材に対して第１の回転方向に回転することと、前記外側カニューレを前記内側カニューレに対して第１の軸方向に相対的に移動することと、前記内側および外側カニューレの第１の側方セクション上の第１セットの出口を整列し、前記内側および外側カニューレの第２の側方セクション上の第２セットの出口を整列しないことであって、前記出口は前記内側および外側カニューレの遠位端に向かって配置され、前記容器からの前記流体を、前記第１および第２のキャップ部材の前記内側カニューレの近位端に前記内側カニューレに沿って移動し、前記第１の側方セクション上の前記整列された前記第１セットの出口を通して前記流体を排出することと、前記第１のキャップ部材を前記第２のキャップ部材に対して第２の回転方向に回転することと、前記外側カニューレを前記内側カニューレに対して第２の軸方向に相対的に移動することと、前記内側および外側カニューレの前記第２の側方セクション上の前記第２セットの出口を整列し、前記内側および外側カニューレの前記第１の側方セクション上の前記第１セットの出口を整列しないことと、前記流体を、前記第１および第２のキャップ部材の前記内側カニューレの前記近位端に前記内側カニューレに沿って移動し、前記第２の側方セクション上の前記整列された前記第２セットの出口を通して前記流体を排出することと、を含む。
【００２１】
前記方法は、前記内側カニューレが前記第１および第２のキャップ部材に対して移動するのを防止し、前記外側カニューレを前記内側カニューレに沿って軸方向に移動すること、をさらに含み得る。
【００２２】
前記方法は、前記外側カニューレを前記内側カニューレに対して前記第１および第２の軸方向に移動し、同時に、前記外側カニューレを前記内側カニューレに対して回転させること、をさらに含み得る。
【００２３】
前記方法は、前記第１の側方セクション上の前記整列された前記第１セットの出口を通して前記流体を排出するとき、前記輸送チューブの前記第２の側方セクション上の前記整列されていない前記第２セットの出口を通して少量の前記流体を排出することをさらに含み得る。
【００２４】
前記方法は、前記外側カニューレの本体を前記内側カニューレの前記第２の側方セクション上の出口の上に移動し、前記流体が前記整列された第１の第２の出口を通して前記第１の側方セクションで排出されているとき前記流体が前記第２の側方セクションで排出されるのを防止すること、をさらに含み得る。
【００２５】
本発明の様々な実施形態の様々な側面は、単独でまたは任意の組み合わせで、所望に応じて使用することができる。
【図面の簡単な説明】
【００２６】
【図１】容器に接続された輸送装置の斜視図である。
【図２】輸送装置および容器の分解斜視図である。
【図３】外側カニューレが内側カニューレの上に延びて収容されている輸送チューブの斜視図である。
【図４】内側カニューレに対して軸方向位置にある外側カニューレの概略断面図であり、流体を第１の側方に輸送する。
【図５】内側カニューレに対して軸方向位置にある外側カニューレの概略断面図であり、流体を第２の側方に輸送する。
【図６】ベースキャップの下部の斜視図である。
【図７】中間キャップの下部の斜視図である。
【図８】中間キャップの上部の斜視図である。
【図９】一緒に組み立てられたベースキャップおよび中間キャップと、そこから外向きに延びる輸送チューブの斜視図である。
【図１０】トップキャップの上部の斜視図である。
【図１１】トップキャップの下部の斜視図である。
【図１２】第１の位置にあり容器に取り付けられた輸送装置の斜視図である。
【図１３】第２の位置にあり容器に取り付けられた輸送装置の斜視図である。
【図１４Ａ】外側カニューレの第１の出口と第２の出口との間の角度方向の概略図である。
【図１４Ｂ】外側カニューレの第１の出口と第２の出口との間の角度方向の概略図である。
【発明を実施するための形態】
【００２７】
本願は、容器から鼻腔に流体を輸送するための装置および方法に向けられている。ある装置は、流体を収容する容器に接続されるように構成された輸送チューブおよびキャップを含む。輸送チューブは、外側カニューレ内に配置された内側カニューレを含む。カニューレの各々は、第１の側方セクションに沿って整列した１つ以上の開口部を有する第１の出口と、第２の側方セクションに沿って整列した１つ以上の開口部を有する第２の出口とを含む。キャップは、輸送チューブを容器に固定するように構成されている。輸送チューブおよびキャップは、カニューレ間の相対的な軸方向の移動を提供するように構成されている。カニューレは、流体を鼻腔の第１の部分に輸送するために輸送チューブの第１の側方セクションに沿って第１の複数の出口を整列させる第１の軸方向位置と、流体を鼻腔の第２の部分に輸送するために第２の側方セクションに沿って第２の複数の出口を整列させる第２の軸方向位置との間で位置決め可能である。
【００２８】
本開示の一側面に従って輸送される流体は、錠剤を所定量の蒸留水に溶解することによって作られてもよい。本開示の一側面によれば、錠剤は、面倒であると判断されている粉末形態とは対照的に、特定の使用者／消費者の専門知識に過度に依存していると判断されている錠剤とは対照的に、使用の容易さのために提供される。そのような錠剤は、溶液調製キットの形態で使用者に提供されることが企図される。一つの代替的な側面では、溶液がキットに含まれてもよいが、特定の実施形態によれば、錠剤の形態は、容易性、精度を向上させ、キットの保存可能期間を延長させてもよい。
【００２９】
キットに含まれてもよい錠剤の調製の例を以下に示す。錠剤は、下記の表１に記載された所望のパラメータおよび所定のパラメータを妨害しない量の緩衝剤、溶解剤、錯化剤などをさらに含んでいてもよい。言い換えれば、錠剤は、所望の所定のｐＨ値、溶解時間、錠剤全体の重量、および／または他の望ましい因子に影響を与えないであろう、非記載の化合物をさらに含んでいてもよい。
【００３０】
特定の実施例において、錠剤は、本開示の一側面に従って、鼻腔を灌漑するための溶液／リンスを調製するために使用するために製造された。塩化ナトリウム（１２０ｍｇ）；炭酸水素ナトリウム（２９０ｍｇ）；およびクエン酸（４０ｍｇ）の量を、乳鉢および乳棒を使用して組み合わせた。得られた混合物を油圧プレス（Kahan Analytical Solutions, Dehli, India）を用いて４５０ｍｇの錠剤に成形した。このプレスは、温度２５°Ｃで７トン／ｍ２の圧力をかけた。次に、錠剤を２５°Ｃの温度で少なくとも５秒間乾燥させた。
【００３１】
上記のようにして作製した錠剤を用いて溶液を調製した。錠剤を温度４０°Ｃ（１０４°Ｆ）の蒸留水１００ｍｌに溶解させた。錠剤は約３０秒で実質的に完全に溶解した。得られた溶液（錠剤溶解後）のｐＨは約６．９８であった。本開示の側面に従って使用される溶液の調製に使用するために製造され、試験された他の有用な錠剤組成物の非網羅的なリストは、以下の表１に提供される。
【００３２】
【表１】
2020534066.tif 000003
【００３３】
流体は、輸送装置１０によって鼻腔内に輸送される。例えば、図１は、容器１００に接続された装置１０を図示している。装置１０は、ユーザの鼻腔内に挿入されるサイズの輸送チューブ２０を含む。装置１０はまた、輸送チューブ２０を容器１００に接続するキャップ４０を含む。キャップ４０は、容器１００内の流体を鼻腔の選択された部分に選択的に輸送するように輸送チューブ２０を調整するために可動である。
【００３４】
図２は、装置１０および容器１００の分解図である。輸送チューブ２０は、外側カニューレ２１および内側カニューレ３１から構成されている。カニューレ２１、３１は、鼻腔内への流体の選択的輸送を提供するために、互いに軸方向に相対的に移動するように構成されている。キャップ４０は、ベースキャップ５０、中間キャップ６０、およびトップキャップ７０から構成されている。キャップ４０は、容器１００に着脱可能に取り付けられるように構成されている。
【００３５】
図３は、内側カニューレ３１が外側カニューレ２１内に配置された輸送チューブ２０を図示している。輸送チューブ２０は、説明の目的のために、輸送チューブ２０を第１および第２の側方セクションに分割する幾何学的平面１１０に沿って湾曲した中心線を含んでもよい。また、輸送チューブ２０は、流体を鼻腔に輸送するために必要に応じて、直線形状を含むが、これに限定されない他の形状を含んでもよい。輸送チューブ２０の側方セクションは、輸送チューブ２０の周囲で異なる量の角度分離によって分離されていてもよい。一つの設計では、側方セクションは、輸送チューブ２０の対向する側にある（すなわち、１８０°離れている）ことを含む。他の設計は、９０°以下である小さな角度分離を特徴とする。他の設計は、９０°〜１８０°の間であることを特徴とする。
【００３６】
輸送チューブ２０およびキャップ４０は、プラスチックおよびゴムを含むがこれらに限定されない様々な材料から構成されてもよい。カニューレ２１、３１は、鼻腔内への挿入を容易にし、キャップ４０がより剛性のある材料から構成されている場合に使用者が受ける可能性のある傷害を防止するために、可撓性であってもよい。カニューレ２１、３１は、同じ材料から構成されてもよいし、異なる材料から構成されてもよい。図２は、外側カニューレ２１が内側カニューレ３１よりも硬い材料から構築された実施形態を含む。剛性のある構造は、外側カニューレ２１が湾曲した形状を有することを提供する。より柔軟な内側カニューレ３１は、外側カニューレ２１に挿入されたときに、この形状を想定している。
【００３７】
図２および図３に示されるように、外側カニューレ２１は、近位端部２３および対向する遠位端部２４を有する細長い本体２２を含む。近位端２３は、開放されており、本体２２の長さを延長する中空の内部に導かれる。１つ以上のフィン２７は、近位端２３に向かって配置されている。一つの設計は、本体２２の対向する側で放射状に外側に延びる２つのフィン２７を含む。他の設計は、異なる数のフィン２７および／または異なる角度の配置を含む。
【００３８】
複数の出口２８は、本体２２の遠位端２４に向かって配置されている。複数の出口２８は、液体を異なる側方に分散させるために、本体２２の異なる側方セクションに配置されている。各出口２８は、１つ以上の開口部２５を含む。各出口２８の複数の開口部２５は、本体２２に沿って長手方向の柱状に整列していてもよい。他の設計では、複数の開口部２５は、本体２２に沿って異なる角度方向にオフセットされていることを含む。異なる出口２８は、同じまたは異なる数の開口部２５を含んでもよく、開口部２５は、同じまたは異なる形状および／またはサイズを有してもよい。
【００３９】
外側カニューレ２１の遠位端２４は、流体の排出を防止するために閉じられていてもよい。別の設計では、遠位端２４は、流体を外向きに、かつ鼻腔内に排出するための開口部を有することを含む。
【００４０】
内側カニューレ３１は、外側カニューレ２１の中空の内部に収まるように大きさが決められている。内側カニューレ３１は、近位端３３および対向する遠位端３４を有する細長い本体３２を含む。近位端部３３は、開放されており、本体３２の長さを延長する中空内部に導かれる。遠位端３４は、流体が遠位方向に外側に排出されるかどうかに応じて、閉じていてもよいし、開いていてもよい。内側カニューレ３１はまた、近位端３３に近接してフランジ３６を含む。フランジ３６は、本体３２の残りの部分よりも大きな直径を有し、内側カニューレ３１をキャップ４０内に固定するために提供する。
【００４１】
１つまたは複数の開口部３５を有する複数の出口３８は、それぞれ、遠位端３４に近接して本体３２の異なる側方セクションに配置されている。複数の出口３８の複数の開口部３５は、長手方向の柱状に整列していてもよく、開口部３５の間に角度オフセットを有していてもよい。複数の出口３８は、複数の開口部３５の数と同じであっても異なっていてもよく、また、形状および／またはサイズが同じであっても異なっていてもよい。一つの設計では、内側カニューレ２１および外側カニューレ３１の各々は、２つの出口２８、３８を含む。他の設計では、１つまたは両方のカニューレ２１、３１に１つの出口２８、３８を含んでもよく、または１つまたは両方のカニューレ２１、３１に３つ以上の出口２８、３８を含んでもよい。
【００４２】
外側カニューレ２１は、内側カニューレ３１よりも大きな断面サイズを含む。これは、カニューレ２１、３１間の相対的な軸方向の移動を提供する。ある特定の設計では、カニューレ２１、３１は、それぞれが円形の断面形状を有することを含む同一の断面形状を含む。他の設計は、サイジングがカニューレ２１、３１間の相対的な軸方向移動を可能にすることを条件に、異なる断面形状を含んでもよい。一つの設計では、相対的な軸方向移動は、外側カニューレ２１が静止した内側カニューレ３１に対して相対的に移動することによって生じる。他の設計では、軸方向に移動可能な内側カニューレ３１と、固定された外側カニューレ２１と、移動可能な内側カニューレ２１と外側カニューレ３１とを含む。
【００４３】
カニューレ２１、３１は、流体が輸送チューブ２０から排出される方向を制御するために、出口２８、３８を位置決めするために、互いに軸方向に相対的に移動するように構成されている。図４は、内側カニューレ３１が外側カニューレ２１の中空内部に配置された状態で相対的な軸方向位置にあるカニューレ２１、３１を図示している。この軸方向位置において、内側カニューレ３１は、外側カニューレ２１の１つの出口２８の開口部２５が、輸送チューブ２０の１つの側方セクションに沿って内側カニューレ３１の１つの出口３８の開口部３５と整列するように、外側カニューレ２１内に配置されている。図４を参照すると、開口部２５、３５は、輸送チューブ２０の左側に沿って整列している。これは、輸送チューブ２０を通って移動される流体がこの側方に排出されることを提供する。対向する側方セクションの内側カニューレ３１の排出口３８の開口部３５は、外側カニューレ２１の本体２２と整列している。これにより、出口３８の開口部３５が塞がれて、この側方に輸送チューブ２０から流体が排出されることが防止される。
【００４４】
一実施形態では、出口３８の開口部３５は、この対向する側方セクションの出口２８の開口部２５と部分的に整列していてもよい。これは、実質的により多くの流体が第１の側方セクション上の整列された出口２８、３８を通って排出されるが、この第２の側方に排出される流体の一部を提供する。
【００４５】
図５は、内側カニューレ２１および外側カニューレ３１が互いに軸方向に相対的に移動した軸方向位置を示している。この移動により、出口３８の開口部３５は、内側カニューレ３１の対向する側方セクションに沿って、外側カニューレ２１の出口２８の対応する開口部２５と位置合わせされ、この開口部３５は、外側カニューレ２１の出口２８の対応する開口部２５と位置合わせされる。これは、この側方への流体の排出を提供する。この軸方向の位置は、出口３８の開口部３５が外側カニューレ２１の本体２２と整列しているので、流体が反対側の側方に排出されるのをさらに妨げる。また、この設計はまた、出口２８、３８がある程度重なっていてもよいので、このブロックされた側方セクションから排出される流体の量をより少なくすることを提供してもよい。
【００４６】
図４および図５は、輸送チューブ２０のちょうど１つの側方セクションから流体を完全にまたは主に排出することができる設計を含む。カニューレ２０、３０は、開口部２５、３５の大きさおよび／または位置が、異なる側方セクション上の異なる量の流体を排出するために提供するように構成されてもよい。例えば、特定の相対的な軸方向位置において、第１の側方セクション上の出口２８、３８の重なり合う開口部２５、３５の大きさは、第１の量の流体が排出されるように提供するための第１の量であってもよく、第２の側方セクション上の重なり合う開口部２５、３５は、異なる量の流体が排出されるように、より小さいか、またはより大きくなっている。この設計は、ユーザおよび／または製造者が必要に応じて流体の量および方向を制御することを提供する。
【００４７】
輸送チューブ２０はまた、出口２５、３５がいずれかの側方セクションに沿って整列していない閉位置に配置されてもよい。これは、保管のために、または装置１０が使用されていないときに使用されてもよい。
【００４８】
カニューレ２１、３１は、ユーザが必要に応じて相対的な軸方向位置を調整することを提供するために、キャップ４０に接続されている。キャップ４０は、カニューレ２１、３１のうちの一方のカニューレ２１、３１の移動を阻止し、異なる軸方向位置に対する他方のカニューレ２１、３１の移動を提供するように構成されていてもよい。キャップ４０はまた、カニューレ２１、３１の各々の移動を許容し、位置決めのための移動を提供するように構成されてもよい。一実施形態では、キャップ４０は、内側カニューレ３１を静止状態に維持し、外側カニューレ２１だけの軸方向の移動を提供する。
【００４９】
キャップ４０は、互いに相対的に移動可能な複数の部材を含む。第１の方向におけるキャップ部材の相対的な移動は、カニューレ２１、３１の一方を他方に対して第１の軸方向に相対的に移動させることを提供する。第２の方向におけるキャップ部材の相対的な移動は、第２の方向におけるカニューレ２１、３１の軸方向の相対的な移動を提供する。
【００５０】
一実施形態では、キャップ４０は、相対移動を提供する３つの部材からなる。これは、ベースキャップ５０、中間キャップ６０、およびトップキャップ７０を含む。
【００５１】
図６は、容器１００に係合するベースキャップ５０の底面を示している（図２は、ベースキャップ５０の上面を示している）。ベースキャップ５０は、開いた底部５８と閉じた上面５９とを有する凹状の本体５１を含む。開口部５２は、底部５８から上面５９に向かって本体５１を貫通して延びている。底部５８の本体５１の内部には、ベースキャップ５０を固定するために容器１００の対応するねじ山と係合するためのねじ山が含まれている。本体５１は、チューブ（図示せず）が開口部５２と整列して容器１００の内部に延びるように、底部５８にチューブ（図示せず）を取り付けるように構成されている。嵌合部５６は、開口部５２の周りに延びており、チューブの端部内に適合するように構成された１つ以上のフランジを有する円錐形状を含んでいてもよい。ベースキャップ５０の頂部５９は、開口部５２において本体５１から外向きに延びる首部５３を含む。スロット５４は、首部５３を横切って切断されてもよい。開口部５７は、ベースキャップ５０を貫通して延びている。開口部５７は、図６に図示されているように、開口部５２に近接して配置されてもよい。
【００５２】
内側カニューレ３１は、ベースキャップ５０と嵌合する。一実施形態では、内側カニューレ３１は、底部５８からベースキャップ５０の開口部５２を通って挿入される。開口部５２は、内側カニューレ３１の近位端３３に向かうフランジ３６が嵌合部５６と係合し、カニューレ３１がベースキャップ５０を通って完全に引っ張られることを防止するような大きさである。別の設計では、ベースキャップ５０は、圧入係合を介して内側カニューレ３１の近位端３３を受け止めて固定するために、開口部５２にレセプタクルを有することを含む。
【００５３】
中間キャップ６０は、ベースキャップ５０の上に配置される。図７は中間キャップ６０の底面図を示し、図８は上面図を示す。中間キャップ６０は、開いた底部６８と閉じた上部６９とを有する凹形状の本体６１を含む。本体６１は、ベースキャップ５０を受けるための大きさの空洞を形成し、周囲に延びる外壁９８を含む。ハンドル９９は、以下に説明するように、中間キャップ６０を回転させるために外壁９８によって形成されている。開口部６２は、底部６８から上端部６９まで本体６１の中心点を通って延びている。開口部６２は、ベースキャップ５０の首部５３を受ける大きさになっている。本体６１はまた、キャップ６０の頂部から上方に延びる首部９６を含む。キャップ６０はまた、中央開口部６２に近接して配置される本体６１の開口部９７をさらに含む。
【００５４】
ランプ６３、６４は、開口部６２において首部９６の内側に沿って配置されている。第１のランプ６３は、開口部６２の第１の側面の一部の周りに延びており、第２のランプ６４は、開口部６２の対向する第２の側面の一部の周りに延びている。第１のランプ６３、６４の各々は、外側カニューレ２１のフィン２７の１つと接触する接触面を含む。ランプ６３、６４のうちの１つは、フィン２７のうちの１つの下端部に対して接触するように配置されている。対向するランプ６３、６４は、対向するフィン２７の上端部に対して接触するように位置決めされている。さらに、第１のランプ６３は、中間キャップ６０の回転中に接触したフィン２７を上または下に押し上げるように第１の方向に角度が付けられている。第２のランプ６４は、キャップ６０の回転中に接触フィンを反対方向に押すように角度が付けられている。一実施形態では、ランプ６３は、中間キャップ６０が時計回りに回転されているときにフィン２７を上方に押し上げるように角度付けられ、第２のランプ６４は、中間キャップ６０が反時計回りに回転されているときに接触しているフィン２７を下方に押し下げるように構成されている。
【００５５】
図８に示すように、中間キャップ６０のネック部９６は、中央開口部６２と通信するスロット９５を含む。スロット９５は、組立時に外側カニューレ２１のフィン２７の挿入を提供する。
【００５６】
図９は、ベースキャップ５０と中間キャップ６０が一緒に嵌め合わされた状態を示している。キャップ５０、６０は、２つの部材間の相対的な回転を提供するために一緒に連結されている。ベースキャップ５０の首部５３は、中間キャップ６０の開口部６２を通って延び、中間キャップ６０のネック９６内に配置されている。外側カニューレ２１のフィン２７（図示せず）は、ランプ６３、６４（図示せず）に配置されている。輸送チューブ２０は、キャップ５０、６０から外向きに延びており、開口部５２、６２と整列している。
【００５７】
中間キャップ６０の開口部９７は、ベースキャップ５０の上面よりも上方に位置している。中間キャップ６０とベースキャップ５０との間の相対回転中に、開口部９７の１つがベースキャップ５０の開口部５７と整列する。これにより、流体が輸送チューブ２０を通って排出された後、容器１００内への空気の流れが提供される。これにより、輸送チューブ２０を介して輸送される流体の量を妨げるかまたは制限し、および／または流体の排出手順の間に必要な時間の量を増加させる可能性のあるエアロックの発生が防止される。
【００５８】
図１０および図１１に図示されているようなトップキャップ７０は、中間キャップ６０の上に延びるような大きさを有している。上部キャップ７０は、輸送チューブ２０を受けるようにサイズ付けされた中央開口部７２を有する凹状の本体７１を含む。本体７１の下端縁９４は、中間キャップ６０および／またはベースキャップ５０と係合するようにサイズ決めされている。窓９３は、以下に説明するように、ハンドル９９を受けるために、本体７１の一部分に沿って底縁９４に配置されている。
【００５９】
キャップ４０の組み立ては、最初に輸送チューブ２０をベースキャップ５０に取り付けることを含んでもよい。一実施形態では、内側カニューレ３１は、キャップ５０の下側から開口部５２を通して挿入される。内側カニューレ３１は、開口部５２においてベースキャップ５０から下方に延びる嵌合部５６に対して隆起部３６が接近するまで開口部５２を介して挿入される。この位置では、カニューレ３１はベースキャップ５０を通って延び、遠位端３４はベースキャップ５０の上方に間隔をあけて配置される。
【００６０】
一旦位置決めされると、チューブが、開口部５２においてベースキャップ５０の底部上の嵌合部５６に取り付けられてもよい。チューブは、嵌合部５６上の隆起を越えて延びてもよく、装置１０が容器１００に取り付けられたときに容器１００の内部に位置決めされるようにベースキャップ５０から下方に延びてもよい。
【００６１】
次に、ベースキャップ５０および内側カニューレ３１を中間キャップ６０に取り付ける。これは、内側カニューレ３１を中間キャップ６０の底部から中央開口部６２を通して挿入することを含む。挿入は、ベースキャップ５０の首部５３を中間キャップ６０のネック９６に位置決めする。一実施形態では、ベースキャップ５０の首部５３のスロット５４のうちの１つは、中間キャップ６０のスロット９５と整列している。ベースキャップ５０の位置決めはまた、中間キャップ６０の本体６１の下端部を、中間キャップ６０の上端部に対して、または中間キャップ６０の上端部に近接して位置決めする。
【００６２】
次に、外側カニューレ２１は、内側カニューレ３１の上に挿入されてもよい。この挿入は、外側カニューレ２１の近位端２３を内側カニューレ３１の遠位端３４と位置合わせし、次いで外側カニューレ２１を内側カニューレ３１の上で、かつ内側カニューレ３１の長さに沿って摺動させることを含む。外側カニューレ２１のフィン２７は、ベースキャップ５０の首部５３のスロット５４内にスライドする。外側カニューレ２１は、フィン２７がスロット５４の底部に対してアバットするまで挿入されてもよい。これはまた、フィン２７を中間キャップ６０のランプ６３、６４に位置決めする。
【００６３】
次いで、上部キャップ７０は、輸送チューブ２０の遠位先端を開口部７２に整列させることによって接続される。次いで、トップキャップ７０は、輸送チューブ２０に対して相対的に移動され、ベースキャップ５０と接触する。一実施形態では、トップキャップ７０の下端縁９４は、ベースキャップ５０の外周に沿って延びる溝内に着座する。上部キャップ７０は、窓９３を通って延びる中間キャップ６０上のハンドル９９と一緒に配置される。
【００６４】
一旦組み立てられると、キャップ４０を容器１００に取り付けることができる。ベースキャップ５０は、容器１００の首部に設けられたねじ山と嵌合するねじ山を含む。これにより、ベースキャップ５０の底部に取り付けられたチューブが容器１００の内部に位置決めされる。これはまた、キャップ４０から外方に延びる輸送チューブ２０を位置決めする。
【００６５】
図１２および図１３は、容器１００に取り付けられた組み立てられたキャップ４０を示す。キャップ４０は、ハンドル９９が窓９３の第１の端部に配置された状態で、図１２の第１の位置にある。この位置は、外側カニューレ２１に対して第１の軸方向位置にある内側カニューレ３１を含む。図１３は、中間キャップ６０が、ハンドル９９が窓９３の対向する第２の端部に配置された状態で、異なる位置に回転された第２の位置を示す。これにより、内側カニューレ３１は、外側カニューレ２１に対して異なる軸方向位置に位置決めされる。
【００６６】
キャップ４０の残りの部分に対する中間キャップ６０の相対的な回転は、ユーザがハンドル９９を把持して異なる回転位置に移動させることによって達成される。第１の方向への回転は、外側カニューレ２１上のフィン２７のうちの１つが、中間キャップ６０上のランプ６３、６４のうちの１つに沿ってスライドすることを引き起こす。このランプに沿ったスライド運動は、内側カニューレ３１との相対的な軸方向の運動を引き起こす。摺動運動の間、フィン２７がベースキャップ５０の首部のスロット５４内に配置されているため、外側カニューレ２１は、中間キャップ６０との回転が阻止される。ある特定の実施形態では、中間キャップ６０を時計回りの回転方向に回転させると、第１のフィン２７の下端が第１のランプ６３に沿ってスライドし、外側カニューレ２１を内側カニューレ３１に対して遠位に相対的に移動させる。中間キャップ６０の反時計回りの回転方向への回転は、第２のフィン２７の上端を第２のランプ６４に沿ってスライドさせ、外側カニューレ２１を内側カニューレ３１に対して近位に相対的に移動させる。
【００６７】
中間キャップ６０の回転の程度は、カニューレ２１、３１間の相対的な軸方向移動の程度を制御する。一実施形態では、窓９３の第１の端部にハンドル９９を位置決めすることは、輸送チューブ２０の第１の側方に沿って出口２８、３８を整列させる。窓９３の第２の端部にハンドル９９を配置することは、輸送チューブの対向する第２の側方に沿って出口２８、３８を整列させる。出口２８、３８の整列の程度は、窓９３内でのハンドル９９の位置決めに基づいて、ユーザによって制御され得る。一実施形態では、ハンドル９９を窓９３に沿った中点に位置決めすることにより、出口２８、３８の位置ずれが生じ、キャップ４０が閉じた位置にあることにより、流体が排出されるのを防ぐことができる。キャップ４０は、ユーザがハンドル９９と窓９３の端部との間の接触を感じて、流体の輸送のための所望の位置が得られたことを知ることができるように構成されている。さらに、ユーザは、その位置を視覚的に見ることができる。
【００６８】
容器１００から輸送チューブ２０を介した流体の輸送は、ユーザが容器１００を絞ることによって達成される。この輸送は、容器からの流体を、ベースキャップ５０の底部に接続されたチューブ内に強制的に押し込み、輸送チューブ２０内に、そして輸送チューブ２０を介して輸送する。次に、流体は、整列された排出口２８、３８を通って排出される。容器１００を解放することにより、容器は元の形状に戻る。空気は、中間キャップ６０の１つ以上の開口部９７と整列しているベースキャップ５０の開口部５７を介して容器の内部に引き込まれる。
【００６９】
キャップ４０はまた、カニューレ２１、３１間の相対的な軸方向の移動を提供する他の設計を含んでもよい。一つの設計は、外側カニューレ２１が、内側カニューレ３１に対して軸方向に相対的に移動可能で回転可能であることを含む。具体的には、外側カニューレ２１は、ベースキャップ５０の首部５３にねじ込まれる。外側カニューレ２１は、首部５３に沿って延びるねじ山と嵌合する遠位端２４の内面に沿って延びるねじ山２６を含む。さらに、外側カニューレ２１のフィン２７は、中間キャップ６０のレセプタクル６５と係合する。フィン２７がレセプタクルに係合している状態で、中間キャップ６０を第１の方向に回転させることにより、外側カニューレ２１が首部５３の周りを第１の方向に回転する。ねじ山は、一緒に係合して、外側カニューレ２１が首部５３の周りで回転することを引き起こし、また、第１の方向に内側カニューレ３１に対して軸方向に相対的に移動する。軸方向の移動は、出口２８、３８を必要に応じて整列させたり、位置をずらしたりすることをもたらす。同様に、中間キャップ６０の対向する第２の方向への回転は、外側カニューレ２１を第２の方向で首部５３について回転させる。これにより、外側カニューレ２１は、内側カニューレ３１の周りを回転するとともに、内側カニューレ３１に対して軸方向に相対的に移動する。内側カニューレ３１に対する外側カニューレ２１の軸方向の移動量および回転量は、様々であってもよい。
【００７０】
複数の出口２８は、外側カニューレ２１の周囲の異なる角度の配置によって分離されていてもよい。図１４Ａは、外側カニューレ２１の周囲の異なる側方セクションに整列した複数の出口２８の概略的な端面図を示す。各々が１つ以上の開口部２５を含む出口２８は、角度αによって分離されている。図１４Ａは、複数の出口２８の間に約１８０°の角度配置αを含む。図１４Ｂは、約９０°の角度配置αを含む。他の設計は、９０°以下の範囲、および９０°〜１８０°の間の範囲を含む、異なる角度配置を含んでもよい。
【００７１】
内側カニューレ３１の複数の出口３８間の角度配置αは、内側カニューレ２１の複数の出口２８間の角度配置αと同じであってもよいし、異なっていてもよい。一つの設計では、内側カニューレ２１および外側カニューレ３１の各々は、２つの出口２８、３８を含む。他の設計では、１つまたは両方のカニューレ２１、３１に１つの出口２８、３８を含むか、または１つまたは両方のカニューレ２１、３１に３つ以上の出口２８、３８を含む。
【００７２】
カニューレ２１、３１間の相対的な軸方向移動のための別の設計は、ユーザが力を加えて、外側カニューレ２１を内側カニューレ３１に沿って移動させることを含む。カニューレ２１、３１は、相対的な軸方向移動の範囲を制御するストップを含んでもよい。一実施形態では、内側カニューレ３１は、外側カニューレ２１のスロット内に収まる放射方向の延長部を含む。延長部は、スロットの上端および下端に対して接触して、軸方向運動の範囲を制御する。別の設計では、外側カニューレ２１はキャップ４０に固定され、内側カニューレ３１は軸方向に移動可能である。内側カニューレ３１から放射方向に延びる延長部が、外側カニューレ２１のスロットを通って延びている。使用者は、外側カニューレ２１内で内側カニューレ３１を上下方向に移動させる力を加えるために、延長部を把持する。
【００７３】
別の設計では、中間キャップおよびトップキャップ６０、７０の各々は、傾斜した表面を有する。外側カニューレ２１は、フィン２７が傾斜した表面の間に配置されるように配置される。これにより、キャップ４０に取り付けられた外側カニューレ２１が維持される。バネまたはクッション材料の一片などのバイアス部材が、傾斜した表面のうちの１つに対してフィン２７をバイアスする。中間キャップ６０の第１の方向への回転は、フィン２７を傾斜面の１つに沿ってスライドさせ、外側カニューレ２１を第１の方向に内側カニューレ３１に沿って軸方向に移動させる。対向する第２の方向への中間キャップ６０の回転は、フィン２７を他方の傾斜面に沿ってスライドさせ、カニューレ２１を第２の方向へ軸方向に移動させる。このようにして、使用者は、流体を指示するために必要に応じて出口２８、３８を整列させることができる。
【００７４】
カニューレを含む鼻腔に流体を輸送するための輸送装置が、参照によりその全体が本明細書に組み込まれる米国特許公開第２０１６／０２２８６８５号に開示されている。
【００７５】
本実施形態では、装置１０が、ボトルなどの容器１００に取り付けられていることが記載されている。また、装置１０は、様々な他のタイプの容器１００に取り付けられてもよい。例としては、ホースや袋などが挙げられるが、これらに限定されない。種々の容器１００は、流体を装置１０内に強制的に送り込むためにユーザによって変形可能であってもよいし、非変形であってもよく、ユーザが容器１００を傾けて流体を装置１０内に移動させる重力や、容器から装置１０に流体を送り込むポンプのような他の方法で装置１０に輸送することを必要とするものであってもよい。
【００７６】
チューブは、装置１０に接続され、容器１００内に延びていてもよい。容器１００からの流体は、チューブ内に入り、その後、患者に輸送するために装置１０に入る。他の設計では、チューブを含まず、流体が容器１００から装置１０に直接入る。
【００７７】
種々の装置１０は、生きている患者の外科処置の間に使用されてもよい。また、これらは、死体、模型などの中などの生きていない状況で使用されてもよい。生きていない状況は、試験、訓練、およびデモンストレーションの目的のうちの１つまたは複数の目的のためであってもよい。
【００７８】
「下(under)」、「下(below)」、「下(lower)」、「上(over)」、「上(upper)」などの空間的に相対的な用語は、説明を容易にするために、第２の要素に対する１つの要素の相対的な位置を説明するために使用される。これらの用語は、図に描かれたものとは異なる方向性に加えて、装置の異なる方向性を包含することを意図している。さらに、「第１の(first)」、「第２の(second)」などの用語もまた、様々な要素、領域、セクションなどを説明するために使用されており、限定することを意図していない。同様の用語は、本明細書全体を通して同様の要素を指す。
【００７９】
本明細書で使用されるように、「有する(having)」、「含む(containing)」、「含む(including)」、「含む(comprising)」などの用語は、記載された要素または特徴の存在を示すが、追加の要素または特徴を排除するものではない、オープンエンドの用語である。冠詞「a」、「an」および「the」は、文脈が明確に別のことを示さない限り、単数形だけでなく複数形も含むことが意図されている。
【００８０】
本発明は、本発明の範囲および本質的特徴から逸脱することなく、本明細書に記載されたものとは異なる他の具体的な方法で実施され得る。したがって、本発明の実施形態は、すべての点で例示的であり、制限的ではないとみなされるべきである。
【図１】
2020534066.tif 000004
【図２】
2020534066.tif 000005
【図３】
2020534066.tif 000006
【図４】
2020534066.tif 000007
【図５】
2020534066.tif 000008
【図６】
2020534066.tif 000009
【図７】
2020534066.tif 000010
【図８】
2020534066.tif 000011
【図９】
2020534066.tif 000012
【図１０】
2020534066.tif 000013
【図１１】
2020534066.tif 000014
【図１２】
2020534066.tif 000015
【図１３】
2020534066.tif 000016
【図１４Ａ】
2020534066.tif 000017
【図１４Ｂ】
2020534066.tif 000018
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
容器（１００）から鼻腔に流体を輸送する装置（１０）であって、
近位端（３３）にある入口と遠位端（３４）に向かって配置された第１および第２の出口（３８）とを含む中空の内側カニューレ（３１）であって、前記第１および第２の出口（３８）が異なる側方セクションにあり、前記入口と前記第１および第２の出口（３８）とは流体流れの関係にある、前記内側カニューレ（３１）と、
前記内側カニューレ（３１）の上に延びて該内側カニューレ（３１）収容する中空の外側カニューレ（２１）であって、該外側カニューレ（２１）は、前記装置（１０）の外部に露出し遠位端（２４）に向かって配置された第３および第４の出口（２８）を含み、該第３および第４の出口（２８）は前記外側カニューレ（２１）の異なる側方セクションにある、前記外側カニューレ（２１）と、
前記内側および外側カニューレ（３１、２１）のそれぞれに接続され、第１の軸方向位置と第２の軸方向位置との間で、前記内側および外側カニューレ（３１、２１）の長手方向軸に沿って該内側および外側カニューレ（３１、２１）の相対的な軸方向移動を提供するように構成されたキャップ（４０）と、
を含み、
前記第１の軸方向位置では、前記第１の出口と前記第３の出口とは整列しており、前記第２の出口と前記第４の出口とは整列しておらず、それにより、前記流体が相対的に、前記第２の出口を介した前記第４の出口からよりも前記第１の出口を介した前記第３の出口から前記装置（１０）の横方向に優勢に排出されることを可能にし、
前記第２の軸方向位置では、前記第１の出口と前記第３の出口とは整列しておらず、前記第２の出口と前記第４の出口とは整列しており、それにより、前記流体が相対的に、前記第１の出口を介した前記第３の出口からよりも前記第２の出口を介した前記第４の出口から前記装置（１０）の横方向に優勢に排出されることを可能にする
装置。
【請求項２】
前記キャップ（４０）は、
前記内側カニューレ（３１）の前記近位端（３３）に取り付けられる第１のセクションと、
前記第１のセクションに対して相対的に回転可能であり、前記外側カニューレ（２１）と係合する第１および第２のランプ（６３、６４）を含む第２のセクションと、
をさらに含み、
前記第１および第２のセクションは、前記外側カニューレ（２１）を前記第１のランプ（６３）に沿ってスライドさせ、前記外側カニューレ（２１）を前記内側カニューレ（３１）に対して軸方向の第１の方向に相対的に移動させるために、時計回り方向に互いに相対的に回転可能であり、
前記第１および第２のセクションは、前記外側カニューレ（２１）を前記内側カニューレ（３１）に対して反対の軸方向の第２の方向に相対的にスライドさせるために、反時計回り方向に互いに相対的に回転可能である
請求項１に記載の装置。
【請求項３】
前記内側カニューレ（３１）は、前記外側カニューレ（２１）の移動中に該内側カニューレ（３１）が移動するのを防止するために、前記キャップ（４０）の前記第１のセクションに固定的に取り付けられている
請求項２に記載の装置。
【請求項４】
前記外側カニューレ（２１）から放射方向外側に延び前記第２セクションの前記第１および第２ランプ（６３、６４）と係合するフィンをさらに含む
請求項２に記載の装置。
【請求項５】
前記第１、第２、第３および第４の出口（２８、３８）の各々は、複数の開口部（２５）を含む
請求項１に記載の装置。
【請求項６】
前記第１および第３の出口は共通の数の開口部（２５）を含み、前記第２および第４の出口は共通の数の開口部（２５）を含む
請求項５に記載の装置。
【請求項７】
前記内側および外側カニューレ（３１、２１）の各々の遠位端（２４、３４）にある開口部をさらに含む
請求項１に記載の装置。
【請求項８】
容器（１００）から鼻腔に流体を輸送する装置（１０）であって、
内側カニューレ（３１）が外側カニューレ（２１）の中空内部に配置された前記内側および外側カニューレ（３１、２１）を含む輸送チューブ（２０）であって、カニューレ（３１、２１）の各々は、
近位端（２３、３３）および対向する遠位端（２４、３４）を有する細長い形状部と、
前記遠位端に向かい第１の側方セクションに配置された第１の出口と、
前記遠位端に向かい第２の側方セクションに配置された第２の出口と、
を含み、前記外側カニューレ（２１）の前記第１および第２の出口は前記装置（１０）の外部に露出されている、前記輸送チューブ（２０）と、
前記内側および外側カニューレ（３１、２１）のそれぞれに接続され、第１の軸方向位置と第２の軸方向位置との間で、前記内側および外側カニューレ（３１、２１）を互いに相対的に軸方向に配置するように構成されたキャップ（４０）と、
を含み、
前記第１の軸方向位置は、前記流体を第１の側方で前記装置（１０）の外に輸送するために、前記輸送チューブ（２０）の前記第１の側方セクションで整列された前記第１の出口と前記輸送チューブ（２０）の前記第２の側方セクションで整列されていない前記第２の出口とを含み、
前記第２の軸方向位置は、前記流体を第２の側方で前記装置（１０）の外に輸送するために、前記輸送チューブ（２０）の前記第２の側方セクションで整列された前記第２の出口と前記輸送チューブ（２０）の前記第１の側方セクションで整列されていない前記第１の出口とを含む
装置。
【請求項９】
前記内側および外側カニューレ（３１、２１）のそれぞれの前記近位端（２３、３３）は、前記キャップ（４０）に接続されている
請求項８に記載の装置。
【請求項１０】
前記内側カニューレ（３１）と外側カニューレ（２１）との一方は、前記キャップ（４０）のねじ山部分にねじ込まれている
請求項８に記載の装置。
【請求項１１】
前記第１の軸方向位置では、前記流体の優勢な量が前記輸送チューブ（２０）から前記第１の側方に排出され、前記流体の少量が前記輸送チューブ（２０）から前記第２の側方に排出されるように、前記第２の出口は前記第１の出口よりも重なりが少ない
請求項８に記載の装置。
【請求項１２】
前記内側および外側カニューレ（３１、２１）の各々の前記第１の出口と前記第２の出口とは、前記内側および外側カニューレ（３１、２１）の周囲に９０°以下の角度で間隔をあけて配置されている
請求項８に記載の装置。
【請求項１３】
前記キャップ（４０）は、それぞれが開口部を含む複数の部材を含み、該複数の部材は回転可能に連結され前記開口部が同軸上に配置されている
請求項８に記載の装置。
【請求項１４】
前記内側カニューレ（３１）は前記キャップ（４０）に固定的に接続され、前記外側カニューレ（２１）は前記キャップ（４０）に対して相対的に移動可能であり、前記内側カニューレ（３１）は前記外側カニューレ（２１）の移動中に静止している
請求項８に記載の装置。
【請求項１５】
容器（１００）から鼻腔に流体を輸送する方法であって、
内側カニューレ（３１）と外側カニューレ（２１）とを含む輸送チューブ（２０）が第１および第２のキャップ部材に接続された状態で、前記第１のキャップ部材を前記第２のキャップ部材に対して第１の回転方向に回転することと、
前記外側カニューレ（２１）を前記内側カニューレ（３１）に対して第１の軸方向に相対的に移動することと、
前記内側および外側カニューレ（３１、２１）の第１の側方セクション上の第１セットの出口を整列し、前記内側および外側カニューレ（３１、２１）の第２の側方セクション上の第２セットの出口を整列しないことであって、前記出口（２８、３８）は前記内側および外側カニューレ（３１、２１）の遠位端（２４、３４）に向かって配置され、
前記容器（１００）からの前記流体を、前記第１および第２のキャップ部材の前記内側カニューレ（３１）の近位端（３３）に前記内側カニューレ（３１）に沿って移動し、前記第１の側方セクション上の前記整列された前記第１セットの出口を通して前記流体を排出することと、
前記第１のキャップ部材を前記第２のキャップ部材に対して第２の回転方向に回転することと、
前記外側カニューレ（２１）を前記内側カニューレ（３１）に対して第２の軸方向に相対的に移動することと、
前記内側および外側カニューレ（３１、２１）の前記第２の側方セクション上の前記第２セットの出口を整列し、前記内側および外側カニューレ（３１、２１）の前記第１の側方セクション上の前記第１セットの出口を整列しないことと、
前記流体を、前記第１および第２のキャップ部材の前記内側カニューレ（３１）の前記近位端（３３）に前記内側カニューレ（３１）に沿って移動し、前記第２の側方セクション上の前記整列された前記第２セットの出口を通して前記流体を排出することと、
を含む方法。
【請求項１６】
前記内側カニューレ（３１）が前記第１および第２のキャップ部材に対して移動するのを防止し、前記外側カニューレ（２１）を前記内側カニューレ（３１）に沿って軸方向に移動すること、をさらに含む
請求項１５に記載の方法。
【請求項１７】
前記外側カニューレ（２１）を前記内側カニューレ（３１）に対して前記第１および第２の軸方向に移動し、同時に、前記外側カニューレ（２１）を前記内側カニューレ（３１）に対して回転させること、をさらに含む
請求項１５に記載の方法。
【請求項１８】
前記第１の側方セクション上の前記整列された前記第１セットの出口を通して前記流体を排出するとき、前記輸送チューブ（２０）の前記第２の側方セクション上の前記整列されていない前記第２セットの出口を通して少量の前記流体を排出することをさらに含む
請求項１５に記載の方法。
【請求項１９】
前記外側カニューレ（２１）の本体を前記内側カニューレ（３１）の前記第２の側方セクション上の出口の上に移動し、前記流体が前記整列された第１の第２の出口を通して前記第１の側方セクションで排出されているとき前記流体が前記第２の側方セクションで排出されるのを防止すること、をさらに含む
請求項１５に記載の方法。
【国際調査報告】
2020534066.tif 000019